(57)【要約】【課題】  所定の周期で放送する番組について情報のグループを容易に構成する。【解決手段】  ハードディスクレコーダ１０は、ユーザの指示を受付けるリモコン受信部３４と、番組を記録すべき旨の指示が、番組を記録する周期の指定を含む指示か否かを判断し、番組を記録する周期の指定を含む指示の場合、グループ番組について共通するようにシリーズＩＤを決定し、シリーズＩＤが共通するか否かに基づいて、番組のタイトル名の情報のうち、グループ番組に対応する情報を検索し、検索された情報を含むようにプレイリストを作成する制御部３６と、番組の放送信号を受信するアンテナ６０と、放送信号を抽出するチューナ２４と、シリーズＩＤ、番組のタイトル名の情報、および放送信号を対応付けて記録するＨＤ装置２２と、プレイリストを出力する映像出力部３０とを含む。【選択図】        図１
2006279241.tif 000002
【特許請求の範囲】
【請求項１】
ユーザの指示を受付けるための受付手段と、
前記受付手段が受付けた番組を記録すべき旨の指示が、番組を記録する周期の指定を含む指示か否かを判断するための判断手段と、
前記番組を記録すべき旨の指示が前記番組を記録する周期の指定を含む指示の場合、前記番組を記録する周期の指定を含む指示により記録する番組であるグループ番組について共通するように、所定の情報のいずれかにより番組を識別する識別情報を決定するための決定手段と、
番組の放送信号を受信するための受信手段と、
前記受信手段が受信した番組の放送信号から、前記番組を記録すべき旨の指示が表わす番組の放送信号を選局するための選局手段と、
前記識別情報、前記選局手段が選局した番組に関する所定の情報、および前記選局手段が選局した番組の放送信号を対応付けて記録するための記録手段と、
前記識別情報が共通するか否かに基づいて、前記所定の情報のうち、前記グループ番組に対応する情報を検索するための検索手段と、
前記検索手段が検索した情報を含むように、情報のグループを作成するための作成手段と、
前記記録手段が記録した放送信号および前記作成手段が作成した情報のグループのいずれかを出力するための出力手段とを含む、番組記録装置。
【請求項２】
ユーザの指示を受付けるための受付手段と、
前記受付手段が受付けた番組を記録すべき旨の指示が、番組を記録する周期の指定を含む指示か否かを判断するための判断手段と、
前記番組を記録すべき旨の指示が前記番組を記録する周期の指定を含む指示の場合、前記番組を記録する周期の指定を含む指示により記録する番組であるグループ番組について少なくとも一部が共通するように、番組を識別する識別情報を決定するための決定手段と、
番組の放送信号を受信するための受信手段と、
前記受信手段が受信した番組の放送信号から、前記番組を記録すべき旨の指示が表わす番組の放送信号を選局するための選局手段と、
前記識別情報、前記選局手段が選局した番組に関する所定の情報、および前記選局手段が選局した番組の放送信号を対応付けて記録するための記録手段と、
前記識別情報の少なくとも一部が共通するか否かに基づいて、前記所定の情報のうち、前記グループ番組に対応する情報を検索するための検索手段と、
前記検索手段が検索した情報を含むように、情報のグループを作成するための作成手段と、
前記記録手段が記録した放送信号および前記作成手段が作成した情報のグループのいずれかを出力するための出力手段とを含む、番組記録装置。
【請求項３】
前記識別情報は、番組を記録する時期から独立して番組を識別する情報を含む、請求項２に記載の番組記録装置。
【請求項４】
前記番組を記録する時期から独立して番組を識別する情報は、所定の情報のいずれかにより番組を識別する情報を含む、請求項３に記載の番組記録装置。
【発明の詳細な説明】
【技術分野】
【０００１】
本発明は、番組記録装置に関し、特に、テレビジョン用の番組記録装置に関する。
【背景技術】
【０００２】
特許文献１には、放送元から放送されるコンテンツごとに、それが録画済みかどうかを示す情報である録画ステータス情報が登録されたシリーズ管理テーブルを格納する記憶部と、放送元から一定期間に定期的に放送されるシリーズコンテンツについて、シリーズコンテンツを特定する情報を示すシリーズＩＤおよびシリーズコンテンツの第何回目の放送分であるかを示すエピソード番号をシリーズ管理テーブルに登録し、録画ステータス情報をシリーズ管理テーブルへエピソード番号ごとに登録する制御部とを備えたコンテンツ録画再生管理装置が開示されている。特許文献１に開示された発明によると、シリーズコンテンツの録画／再生時にユーザの操作を煩雑にすることなく、シリーズコンテンツを容易に管理できる。
【０００３】
特許文献２には、記憶媒体に記録する番組を予め設定する入力部と、予約された番組の情報を一覧表示したり、記録された番組の情報を一覧表示したりする表示部とを備え、表示部は、予約された番組に対して付与された固有の識別マークを表示し、更新録画が設定された番組に対して識別マークを表示することを特徴とする記録再生装置が開示されている。特許文献２に開示された発明によると、更新録画が設定された番組を容易に識別できる。
【０００４】
特許文献３には、符号化された映像データを少なくとも含むコンテンツを記録する記録媒体を有し、映像データの記録および再生および編集を行なうことが可能なデータ記録再生装置が開示されている。特許文献３に開示された発明によると、録画を１度予約すると、ユーザ操作の手間をかけることなく、任意の間隔で番組を録画でき、かつ記録媒体に記録されたコンテンツを更新できる。
【特許文献１】特開２００４−３４３５２０号公報
【特許文献２】特開２００３−３１９３０７号公報
【特許文献３】特開２００４−１８００６１号公報
【発明の開示】
【発明が解決しようとする課題】
【０００５】
しかし、前述の特許文献１に開示された発明では、所定の周期で放送する番組について情報のグループを構成することが難しいという問題点がある。
【０００６】
特許文献２および特許文献３に開示された発明では、記録された番組について情報のグループを構成すること自体について考慮がなされていないという問題点がある。
【０００７】
本発明は上述の問題点を解決するためになされたものであって、その目的は、所定の周期で放送する番組について情報のグループを容易に構成できる番組記録装置を提供することにある。
【課題を解決するための手段】
【０００８】
上記目的を達成するために、本発明のある局面に従うと、番組記録装置は、受付手段と、判断手段と、決定手段と、受信手段と、選局手段と、記録手段と、検索手段と、作成手段と、出力手段とを含む。受付手段は、ユーザの指示を受付ける。判断手段は、受付手段が受付けた番組を記録すべき旨の指示が、番組を記録する周期の指定を含む指示か否かを判断する。決定手段は、番組を記録すべき旨の指示が番組を記録する周期の指定を含む指示の場合、番組を記録する周期の指定を含む指示により記録する番組であるグループ番組について共通するように、所定の情報のいずれかにより番組を識別する識別情報を決定する。受信手段は、番組の放送信号を受信する。選局手段は、受信手段が受信した番組の放送信号から、番組を記録すべき旨の指示が表わす番組の放送信号を選局する。記録手段は、識別情報、選局手段が選局した番組に関する所定の情報、および選局手段が選局した番組の放送信号を対応付けて記録する。検索手段は、識別情報が共通するか否かに基づいて、所定の情報のうち、グループ番組に対応する情報を検索する。作成手段は、検索手段が検索した情報を含むように、情報のグループを作成する。出力手段は、記録手段が記録した放送信号および作成手段が作成した情報のグループのいずれかを出力する。
【０００９】
本発明の他の局面に従うと、番組記録装置は、受付手段と、判断手段と、決定手段と、受信手段と、選局手段と、記録手段と、検索手段と、作成手段と、出力手段とを含む。受付手段は、ユーザの指示を受付ける。判断手段は、受付手段が受付けた番組を記録すべき旨の指示が、番組を記録する周期の指定を含む指示か否かを判断する。決定手段は、番組を記録すべき旨の指示が番組を記録する周期の指定を含む指示の場合、番組を記録する周期の指定を含む指示により記録する番組であるグループ番組について少なくとも一部が共通するように、番組を識別する識別情報を決定する。受信手段は、番組の放送信号を受信する。選局手段は、受信手段が受信した番組の放送信号から、番組を記録すべき旨の指示が表わす番組の放送信号を選局する。記録手段は、識別情報、選局手段が選局した番組に関する所定の情報、および選局手段が選局した番組の放送信号を対応付けて記録する。検索手段は、識別情報の少なくとも一部が共通するか否かに基づいて、所定の情報のうち、グループ番組に対応する情報を検索する。作成手段は、検索手段が検索した情報を含むように、情報のグループを作成する。出力手段は、記録手段が記録した放送信号および作成手段が作成した情報のグループのいずれかを出力する。
【００１０】
また、上述の識別情報は、番組を記録する時期から独立して番組を識別する情報を含むことが望ましい。
【００１１】
また上述の番組を記録する時期から独立して番組を識別する情報は、所定の情報のいずれかにより番組を識別する情報を含むことが望ましい。
【発明の効果】
【００１２】
本発明に係る番組記録装置は、所定の周期で放送する番組について情報のグループを容易に構成できる。
【発明を実施するための最良の形態】
【００１３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１４】
図１のハードディスクレコーダ１０は、２種類のデジタル記録メディア再生装置を内蔵し、記録メディアから再生されたコンテンツなど供給される各種コンテンツを、装置外部に予め接続されたテレビ受像機１４に映像信号または音声信号として視聴可能なように出力する番組記録装置である。リモコン（リモートコントローラの略）１２は、ユーザが各種の指令を入力するために操作される装置であり、その指令に対応する赤外線信号を発信する。
【００１５】
ハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００１６】
ＤＶＤ読取部２０は光ディスク（本実施の形態の場合ＤＶＤディスク）に記録されたデジタルコンテンツの情報を読出す装置である。本実施の形態の場合、ＤＶＤディスクには、任意の情報（本実施の形態の場合、デジタルコンテンツの情報）が記録されている。
【００１７】
ＨＤ装置２２は、少なくとも３種類の情報を記録し、その記録した信号を読出す装置である。第１の情報は、ＩＤの属性の情報である。ＩＤの属性の情報の具体的な内容は後述する。第２の情報は、録画の対象となった番組のタイトル名と、番組のジャンルと、シリーズＩＤと、番組の放送信号と、録画時間とを含む情報である。第３の情報は、後述するプレイリストを表わす情報である。ここで、ハードディスクに記録される放送信号としては、たとえばＭＰＥＧ２（Motion Picture Experts Group 2）規格に準拠する映像ファイルやＭＰ３（MPEG-1 Audio Layer3）規格に準拠する音声ファイルなどの信号が挙げられる。
【００１８】
チューナ２４は、アンテナ６０が放送局から発信される番組のデジタル放送信号を受信すると、制御部３６により指定されるチャンネルの放送信号（デジタルコンテンツの信号）を選局して出力する。
【００１９】
デコーダ２６は、ＤＶＤ読取部２０により再生されたデジタルコンテンツの信号、ＨＤ装置２２がハードディスクから読出した放送信号、チューナ２４が選局した放送信号および外部Ｉ／Ｆ３８を介して外部装置７０から入力されたデジタルコンテンツの信号のいずれかが制御部３６の切換制御により与えられると、与えられたその信号を入力して復号（デコード）して出力する。デコーダ２６が内蔵するＯＳＤ５０は、制御部３６により与えられた情報に基づいて画像データを作成し、それを映像出力部３０に対して出力する。テレビ受像機１４の画面に可視表示するためである。
【００２０】
メモリ２８には、チューナ２４が選局可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００２１】
映像出力部３０は、デコーダ２６が復号した映像信号（この信号は、ＨＤ装置２２が記録した放送信号および制御部３６が作成したプレイリストのいずれかを含む）をテレビ受像機１４が出力可能な映像信号に変換してテレビ受像機１４に対して出力する。
【００２２】
音声出力部３２は、デコーダ２６が復号した音声信号をテレビ受像機１４が出力可能な音声信号に変換してテレビ受像機１４に対して出力する。
【００２３】
リモコン受信部３４は、赤外線を介してリモコン１２から発信される各種の指令信号を受信して、その指令信号を制御部３６に伝送する。これにより、リモコン受信部３４は、ユーザの指示を受付ける装置となる。制御部３６は、メモリ２８に格納された動作プログラムに基づいて装置各部の制御を行なう。
【００２４】
図２を参照して、ハードディスクレコーダ１０で実行されるプログラムは、録画に関し、以下のような制御を実行する。
【００２５】
ステップ１００（以下、ステップをＳと略す。）にて、制御部３６は、メモリ２８を参照して、次に実施する録画が所定の周期（所定の周期で放送する番組の例として、連続ドラマや１つのシリーズを構成する番組群がある）で放送する番組に対する予約（周期予約）に基づく録画か否かを判断する。周期予約に基づく録画と判断した場合には（Ｓ１００にてＹＥＳ）、処理はＳ１０２へと移される。もしそうでないと（Ｓ１００にてＮＯ）、処理はＳ１０８へと移される。
【００２６】
Ｓ１０２にて、制御部３６は、ＨＤ装置２２が記憶したＩＤの属性の情報を参照することにより、周期予約の対象となった番組が、初めての録画か否かを判断する。本実施の形態の場合、制御部３６は、シリーズＩＤ（周期予約の対象となった番組を識別する、識別情報の一種）が設定されているか否かに基づき、初めての録画か否かを判断する。初めての録画と判断した場合（Ｓ１０２にてＹＥＳ）、処理はＳ１０４へと移される。もしそうでないと（Ｓ１０２にてＮＯ）、処理はＳ１０６へと移される。本実施の形態の場合、実際には一連の番組を録画するとしても、いったん予約の内容が変更された場合（現に録画をしている最中にその録画を終了する時間のみが変更された場合は除く）、それ以降の予約は初めて録画する番組についての録画であるとみなす。
【００２７】
Ｓ１０４にて、制御部３６は、ＩＤの属性の情報を参照することにより、未だ使用されていないシリーズＩＤを検索する。シリーズＩＤが検索されると、制御部３６は、検索されたシリーズＩＤを、Ｓ１０２にて初めての録画か否かを判断した番組のシリーズＩＤとするように、ＩＤの属性の情報を更新する。これにより、未だ使用されていないシリーズＩＤが獲得されたことになる。本実施の形態の場合、シリーズＩＤは録画の日時に依存しない。その理由は、予約された番組を記録する装置がＨＤ装置２２である（録画された日時が古いものから前のアドレスに記録されるよう、ハードディスクのデータが定期的に更新されるので、シリーズＩＤにより録画の日時を特定しなくてもよい）という点にある。
【００２８】
Ｓ１０６にて、チューナ２４は、録画を予約された時刻が到来すると、アンテナ６０が受信した番組の放送信号から、予約された番組（番組を記録すべき旨の指示が表わす番組）の放送信号を選局する。ＨＤ装置２２は、シリーズＩＤまたは通常ＩＤ、チューナ２４が選局した番組に関する所定の情報（本実施の形態の場合、チャンネル、録画された曜日、録画が開始された時刻、および予約の際受付けた番組のタイトル名がそれぞれ「チューナ２４が選局した番組に関する所定の情報」に該当する）、およびチューナ２４が選局した番組の放送信号を対応付けて記録する。録画が終了すると、制御部３６は、ＨＤ装置２２に、番組の放送信号に対応付けて、録画が終了した時刻も記録させる。予約の際番組のジャンルが受付けている場合、制御部３６は、ＨＤ装置２２に、番組の放送信号に対応付けて、ジャンルの情報も記録させる。
【００２９】
Ｓ１０８にて、制御部３６は、ＩＤの属性の情報を参照することにより、未だ使用されていない通常ＩＤ（周期予約の対象となっていない番組を識別する、識別情報の一種）を検索する。通常ＩＤが検索されると、制御部３６は、検索された通常ＩＤを、Ｓ１０２にて初めての録画か否かを判断した番組の通常ＩＤとするように、ＩＤの属性の情報を更新する。これにより、ＩＤが通常ＩＤに決定されたこととなる。
【００３０】
図３を参照して、ハードディスクレコーダ１０で実行されるプログラムは、シリーズＩＤが同じ番組の表示に関し、以下のような制御を実行する。
【００３１】
Ｓ１１０にて、リモコン受信部３４は、ユーザからタイトルを表示させるべき旨の指示を受付ける。タイトルを表示させるべき旨の指示が受付けられると、制御部３６は、ＨＤ装置２２が記録した情報から、番組のタイトル名の情報を読出す。番組のタイトル名の情報が読出されると、制御部は、番組のタイトル名の情報をＯＳＤ５０に出力する。ＯＳＤ５０は、番組のタイトル名の情報に基づき、画像データを作成する。画像データが作成されると、ＯＳＤ５０は、画像データをテレビ受像機１４に出力する。テレビ受像機１４は番組のタイトル名の情報を表示する。情報が表示されると、リモコン受信部３４は、リモコン１２を介して、ユーザから特定の番組を抽出すべき旨の指示を受付ける。
【００３２】
Ｓ１１２にて、制御部３６は、ＨＤ装置２２が記録した、番組のタイトル名の情報（シリーズＩＤとともに記録された情報であればどの情報であってもよいが、本実施の形態の場合、番組のタイトル名の情報とする）を検索する。検索の対象となる番組は、Ｓ１１０にて受けた特定の番組を抽出すべき旨の指示が表わす番組である。これにより、制御部３６は、シリーズＩＤが共通するか否かに基づいて、番組のタイトル名の情報（すなわちチューナ２４が選局した番組に関する所定の情報）のうち、グループ番組に対応する情報を検索することとなる。
【００３３】
Ｓ１１４にて、制御部３６は、ＨＤ装置２２が記録した情報から、Ｓ１１２にて検索した番組のタイトル名の情報を読出す。番組のタイトル名の情報が読出されると、制御部３６は、番組のタイトル名の情報をＯＳＤ５０に出力する。制御部３６は、メモリ２８に、テレビ受像機１４にタイトルが表示される順序と同じ順序で、番組のタイトル名の情報を記録する。ＯＳＤ５０は、番組のタイトル名の情報に基づき、画像データを作成する。画像データが作成されると、ＯＳＤ５０は、画像データをテレビ受像機１４に出力する。テレビ受像機１４は番組のタイトル名の情報を表示する。
【００３４】
図４を参照して、ハードディスクレコーダ１０で実行されるプログラムは、プレイリストの作成に関し、以下のような制御を実行する。
【００３５】
Ｓ１２０にて、リモコン受信部３４は、ユーザから予め定められた手順に沿ってプレイリストを作成すべき旨の指示（「一括プレイリスト作成」の指示）を受付ける。本実施の形態の場合、制御部３６は、予めテレビ受像機１４が表示したメニューの中から「一括プレイリスト作成」を選択した旨の信号をリモコン受信部３４が受信したとき、リモコン受信部３４が「一括プレイリスト作成」の指示を受付けたとみなす。
【００３６】
Ｓ１２２にて、リモコン受信部３４は、ユーザからの指示を受付ける。指示が受付けられると、制御部３６は、ユーザから受付けた指示がプレイリストに含まれる番組の再生の順番を変更する旨の指示か否かを判断する。再生の順番を変更する旨の指示と判断した場合（Ｓ１２２にてＹＥＳ）、処理はＳ１２４へと移される。もしそうでないと（Ｓ１２２にてＮＯ）、処理はＳ１２８へと移される。
【００３７】
Ｓ１２４にて、制御部３６は、Ｓ１２２にて受付けた指示（再生の変更を指定する旨の指示）が表わす番組の順番に対応するように、メモリ２８に記録された番組のタイトル名の情報（Ｓ１１４にて記録された情報）の順序を更新する。情報の順序が更新されると、制御部３６は、Ｓ１１４にて情報が記録された番組の、ジャンルの情報と録画時間の情報とをＨＤ装置２２から読出す。情報が読出されると、制御部３６は、番組のタイトル名の情報に対応付けて、番組のジャンルの情報と録画時間の情報とをメモリ２８に記録させる。これにより、プレイリスト（すなわち再生の順番を表わす情報）の一部が作成される。
【００３８】
Ｓ１２６にて、制御部３６は、既にメモリ２８に記録されたプレイリストの一部をＨＤ装置２２に複写する。複写が完了すると、制御部３６は、プレイリストの一部を構成する各情報と、既にＨＤ装置２２に記録されている放送信号とが対応付けられるように、ＨＤ装置２２に記録された情報を更新する。プレイリストの一部を構成する各情報と、既にＨＤ装置２２に記録されている放送信号とが対応付けられることにより、プレイリストが完成する。これにより、制御部３６は、自らが検索した番組のタイトル名の情報を含むように、情報のグループを作成することとなる。
【００３９】
Ｓ１２８にて、制御部３６は、Ｓ１１４にて情報が記録された番組の、ジャンルの情報と録画時間の情報とをＨＤ装置２２から読出す。情報が読出されると、制御部３６は、番組のタイトル名の情報に対応付けて、番組のジャンルの情報と録画時間の情報とをメモリ２８に記録させる。これにより、プレイリストの一部が作成される。
【００４０】
以上のような構造およびフローチャートに基づく、ハードディスクレコーダ１０の動作について説明する。
【００４１】
制御部３６は、メモリ２８を参照して、次に実施する録画が周期予約に基づく録画か否かを判断する（Ｓ１００）。これにより、制御部３６は、リモコン受信部３４が受付けた番組を記録すべき旨の指示が、番組を記録する周期の指定を含む指示か否かを判断することとなる。この場合、周期予約に基づく録画とすると（Ｓ１００にてＹＥＳ）、制御部３６は、ＩＤの属性の情報を参照することにより、周期予約の対象となった番組が、初めての録画か否かを判断する（Ｓ１０２）。初めての録画とすると（Ｓ１０２にてＹＥＳ）、制御部３６は、未だ使用されていないシリーズＩＤを獲得する（Ｓ１０４）。図５は、周期予約の対象となった番組が初めての録画か否かを判断した時点における、ＩＤの属性の情報の内容を表わす図である。本実施の形態において、シリーズＩＤはＩＤ番号が「１」〜「３０」であることとする。通常ＩＤはＩＤ番号が「３１」〜「３００」であることとする。この場合、シリーズＩＤはいずれも使用されていないので、制御部３６は、「１」を次に録画する番組のシリーズＩＤとする。これにより、制御部３６は、番組を記録すべき旨の指示が番組を記録する周期の指定を含む指示の場合、番組を記録する周期の指定を含む指示により記録する番組であるグループ番組について共通するように、所定の情報のいずれかにより番組を識別するシリーズＩＤを決定することとなる。図６は、シリーズＩＤを獲得した時点における、ＩＤの属性の情報の内容を表わす図である。ＩＤ「１」に対応するタイトルとして「プロジェクトＷＺ」が定義されている（図示しないが、この時ＩＤ「１」に対応する録画の曜日なども定義される）。これにより、制御部３６は、自らが判断した結果に応じて、番組を識別するシリーズＩＤを決定することとなる。また、シリーズＩＤは、所定の周期で放送する番組か否かに応じて予め定められた文字列となる。
【００４２】
シリーズＩＤが獲得され、かつ録画を予約された時刻が到来すると、チューナ２４は、アンテナ６０が受信した放送信号から、予約された番組の放送信号を選局する。ＨＤ装置２２は、シリーズＩＤまたは通常ＩＤ、チャンネル、録画された曜日、録画が開始された時刻、予約の際受付けた番組のタイトル名、およびチューナ２４が選局した番組の放送信号を対応付けて記録する。録画が終了すると、制御部３６は、ＨＤ装置２２に、番組の放送信号に対応付けて、録画が終了した時刻も記録させる。予約の際番組のジャンルが受付けている場合、番組の放送信号に対応付けて、ジャンルの情報も記録される（Ｓ１０６）。録画が複数回実施されると、Ｓ１００〜Ｓ１０６の処理が繰返される。最終的には複数の番組が録画されることとなる。図７は、その後のＨＤ装置２２が放送信号として記録した番組の内容を表わす図である。
【００４３】
複数の番組が録画された後、リモコン受信部３４は、ユーザからタイトルを表示させるべき旨の指示を受付ける。タイトルを表示させるべき旨の指示が受付けられると、制御部３６は、テレビ受像機１４に番組のタイトル名の情報を表示させる。図８は、このときのテレビ受像機１４の画面を表わす図である。番組のタイトル名の情報が表示されると、リモコン受信部３４は、リモコン１２を介して、ユーザから特定の番組を抽出すべき旨の指示を受付ける（Ｓ１１０）。
【００４４】
指示が受付けられると、制御部３６は、ＨＤ装置２２が記録した、番組のタイトル名の情報を検索する。検索の対象となる番組は、Ｓ１１０にて受けた特定の番組を抽出すべき旨の指示が表わす番組である（Ｓ１１２）。番組のタイトル名の情報が検索されると、テレビ受像機１４はタイトル名の情報を一覧表として表示する（Ｓ１１４）。図９は、このときのテレビ受像機１４の画面を表わす図である。
【００４５】
一覧表が表示されると、リモコン受信部３４は、一括プレイリスト作成の指示を受付ける（Ｓ１２０）。図１０は、一括プレイリスト作成の指示を受付けた時点のテレビ受像機１４の画面を表わす図である。編集の対象となっている番組「プロジェクトＷＺ／津軽海峡大橋（前編）」が破線で囲まれている。
【００４６】
指示が受付けられると、リモコン受信部３４は、再びユーザからの指示を受付ける。指示が受付けられると、制御部３６は、ユーザから受付けた指示がプレイリストに含まれる番組の再生の順番を変更する旨の指示か否かを判断する（Ｓ１２２）。このとき、リモコン１２のカーソルキー（図示せず）のうち、カーソルを上下に移動させるためのキーが押されると、制御部３６は、図１０に示す画面において破線により囲まれた番組につき、再生の順番を変更する旨の指示があったとみなす。カーソルキーのうち、カーソルを左右に移動させるためのキーが押されると、制御部３６は、編集の対象となる番組（テレビ受像機１４の画面において破線により囲まれた番組）を変更する旨の指示があったとみなす。リモコン１２のクリアキー（図示せず）が押されると、制御部３６は、テレビ受像機１４の画面において破線により囲まれた番組に関する情報をＨＤ装置２２から削除すべき旨の指示があったとみなす。図１１は、「プロジェクトＷＺ／ピコテクロノジーを追え」が最初に再生される旨の指示を受付けた場合のテレビ受像機１４の画面を表わす図である。図１２は、「プロジェクトＷＺ／１００億人の携帯電話」を削除する旨の指示を受付けた後のテレビ受像機１４の画面を表わす図である。この場合、カーソルキーが押された（ユーザから受付けた指示がプレイリストに含まれる番組の再生の順番を変更する旨の指示である）とすると（Ｓ１２２にてＹＥＳ）、制御部３６は、再生の変更を指定する旨の指示が表わす番組の順番に対応するように、プレイリストの一部を作成する（Ｓ１２４）。
【００４７】
プレイリストの一部が作成されると、制御部３６は、プレイリストの一部を構成する各情報と、既にＨＤ装置２２に記録されている放送信号とを対応付けることにより、プレイリストを完成させる（Ｓ１２６）。
【００４８】
以上のようにして、本実施の形態に係るハードディスクレコーダは、ユーザの指示に応じて、周期予約に基づき録画した複数の番組からなるプレイリストを容易に作成できる。プレイリストを容易に作成できるので、ユーザの操作が煩雑になる可能性は少なくなる。周期予約に基づき録画した複数の番組のプレイリストを容易に作成できる理由は、シリーズＩＤを用いる点にある。シリーズＩＤはＥＰＧ（Electronic Program Guide）から得る情報ではない。これにより、デジタル放送でなくても、コンテンツの一覧を表示させることができる。その結果、所定の周期で放送する番組について情報のグループを容易に構成できる番組記録装置を提供することができる。
【００４９】
なお、図９〜図１２において、プレイリストはサムネイルを含んでもよい。
【００５０】
また、識別情報はシリーズＩＤでなくともよい。シリーズＩＤ以外の情報を識別情報として用いる場合、識別情報は、番組を記録する時期から独立して番組を識別する情報を含むことが望ましい。そのような識別情報の例として、１つの指示により記録される番組に共通する文字列と、１つの番組それぞれに固有の文字列とを含む情報がある。そのような情報のより具体的な例として、「１２−Ａ」といった文字列がある。この文字列のうち、数値の部分が１つの指示により記録される番組に共通する文字列である。アルファベットの部分が１つの番組それぞれに固有の文字列である。このような文字列を識別情報として用いる場合、制御部３６は、番組を記録する周期の指定を含む指示により記録する番組であるグループ番組について少なくとも一部が共通する（この場合「１２」が共通する）ように、識別情報を決定することとなる。制御部３６は、識別情報の少なくとも一部が共通するか否か（「１２」が含まれるか否か）に基づいて、番組のタイトル名の情報など（すなわちグループ番組に対応する情報）を検索することとなる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係るハードディスクレコーダの全体構成図である。
【図２】本発明の実施の形態に係るハードディスクレコーダの録画処理の制御の手順を示すフローチャートである。
【図３】本発明の実施の形態に係るシリーズＩＤが同じ番組の表示処理の制御の手順を示すフローチャートである。
【図４】本発明の実施の形態に係るプレイリスト作成処理の制御の手順を示すフローチャートである。
【図５】本発明の実施の形態に係る番組が初めての録画か否かを判断した時点におけるＩＤの属性の情報の内容を表わす図である。
【図６】本発明の実施の形態に係るシリーズＩＤが獲得された時点におけるＩＤの属性の情報の内容を表わす図である。
【図７】本発明の実施の形態に係るＨＤ装置に記録された番組の内容を表わす図である。
【図８】本発明の実施の形態に係るテレビ受像機がタイトルを表示した画面を表わす図である。
【図９】本発明の実施の形態に係るテレビ受像機が検索された番組のタイトルを表示した画面を表わす図である。
【図１０】本発明の実施の形態に係る一括プレイリスト作成の指示を受付けた時点のテレビ受像機の画面を表わす図である。
【図１１】本発明の実施の形態に係る番組の再生の順番が変更された場合のテレビ受像機の画面を表わす図である。
【図１２】本発明の実施の形態に係るハードディスクレコーダが番組を削除する旨の指示を受付けた後のテレビ受像機の画面を表わす図である。
【符号の説明】
【００５３】
１０  ハードディスクレコーダ、１２  リモコン、１４  テレビ受像機、２０  ＤＶＤ読取部、２２  ＨＤ装置、２４  チューナ、２６  デコーダ、２８  メモリ、３０  映像出力部、３２  音声出力部、３４  リモコン受信部、３６  制御部、３８  外部Ｉ／Ｆ、５０  ＯＳＤ、６０  アンテナ、７０  外部装置。
【図１】
2006279241.tif 000003
【図２】
2006279241.tif 000004
【図３】
2006279241.tif 000005
【図４】
2006279241.tif 000006
【図５】
2006279241.tif 000007
【図６】
2006279241.tif 000008
【図７】
2006279241.tif 000009
【図８】
2006279241.tif 000010
【図９】
2006279241.tif 000011
【図１０】
2006279241.tif 000012
【図１１】
2006279241.tif 000013
【図１２】
2006279241.tif 000014